(57)【要約】【課題】展開使用時には、２組のキーパッドを隣接して閉じると共に展開して一体のキーボードとして使用可能にする折畳み可能なキーボードを提供する。【解決手段】折畳み可能なキーボードは、第１キーパッド１が固定された左（第１）ベースプレート１０、第２キーパッド２がスライド可能に設けられた右（第２）ベースプレート２０および両者の端部に配置されたリンクシャフト３０により構成される。左右ベースプレート１０、２０の連結端は、リンクシャフト３０を中心に展開（開）位置および閉位置に回転可能である。左右ベースプレート１０、２０の端部近傍およびリンクシャフト３０間は第１連結ロッド４１、第２連結ロッド４２および第３連結ロッド４３よりなるリンク機構４０により連結され、左ベースプレート１０を右ベースプレート２０に対して回転すると、第２キーパッド２を引き寄せ又は押し出してスライドする。【選択図】　　　　図４
0003098068.tif 000002
【実用新案登録請求の範囲】
【請求項１】
第１ベースプレートと、第２ベースプレートと、該第１および第２ベースプレート間のリンクシャフトとを備え、該リンクシャフトを中心に前記第１ベースプレートを前記第２ベースプレートに対して回転する折畳み可能なキーボードにおいて、
前記第１ベースプレートに固定された第１キーパッドと、前記第２ベースプレートにスライド可能に設けられた第２キーパッドと、それぞれ第１ベースプレート、前記リンクシャフトおよび前記第２キーパッドにピボット可能に連結された第１、第２および第３ピボットジョイントを有する少なくとも１つのリンク機構を備え、該リンク機構は、前記第１および第２ベースプレートを展開するとき、前記第２キーパッドを前記第１キーパッドに向けて引き寄せ、前記第１および第２ベースプレートを閉じるとき、前記第２キーパッドを前記第１キーパッドから離れるように押すことを特徴とする折畳み可能なキーボード。
【請求項２】
前記リンク機構は、３個の連結ロッドを備え、それぞれの一端を共通端とし、他端をそれぞれ前記第１、第２および第３ピボットジョイントとすることを特徴とする請求項１に記載の折畳み可能なキーボード。
【請求項３】
前記リンクシャフトは、前記第１ベースプレートの一側に連結された第１ロッドおよび前記第２ベースプレートの一側に連結された第３ロッドを備えることを特徴とする請求項１に記載の折畳み可能なキーボード。
【請求項４】
前記リンク機構は、第１ロッド、第２ロッドおよび第３ロッドを備えることを特徴とする請求項１に記載の折畳み可能なキーボード。
【請求項５】
前記第２ロッドの長さは、前記第１ロッドおよび前記第３ロッドの長さより短いことを特徴とする請求項４に記載の折畳み可能なキーボード。
【請求項６】
前記第１、第２および第３ロッドは、１つの共通ジョイント端を有し、他端は前記第１、第２および第３ピボットジョイントとなることを特徴とする請求項４に記載の折畳み可能なキーボード。
【請求項７】
前記折畳み可能なキーボードが折畳まれたとき、前記第１連結ロッドは前記第２および第３連結ロッドを押し、前記第３ロッドは更に前記第２キーパッドを前記第１キーパッドから遠ざけるように押すことを特徴とする請求項６に記載の折畳み可能なキーボード。
【請求項８】
前記折畳み可能なキーボードを展開すると、前記連結ロッドは前記第２および第３ロッドを引き寄せ、前記第３ロッドは更に前記第２キーパッドを前記第１キーパッドに引き寄せることを特徴とする請求項６に記載の折畳み可能なキーボード。
【請求項９】
前記第１および第２ベースプレートの底には、それぞれ基部が設けられ、展開時に平面上に確実に配置可能にすることを特徴とする請求項１に記載の折畳み可能なキーボード。
【請求項１０】
前記第２キーパッドおよび前記第２ベースプレート間には、スライドトラック又はガイドスロットが形成されていることを特徴とする請求項１に記載の折畳み可能なキーボード。
【考案の詳細な説明】
【０００１】
【考案の属する技術分野】
本考案はキーボードに関し、特にパーソナルコンピュータ（ＰＣ）等の入力装置としての使用に好適な折畳み可能なキーボードに関する。
【０００２】
【従来の技術】
台湾特許出願第４６７３２号の明細書によると、１種の折畳み可能なキーボードは、第１ベースプレート（又は基板）、第２ベースプレートおよびリンク（連結）機構により構成される。これら第１および第２ベースプレートは、いずれも複数のキーを含んでいる。
【０００３】
リンク機構は、２個の平行接続ロッド又はスラブ状リンクにより構成される。このリンク機構の２辺は、それぞれ第１ベースプレートおよび第２ベースプレートに個別且つピボット可能に接続されている。この折畳み可能なキーボードが折畳まれていないときは、第１ベースプレート、第２ベースプレートおよびリンク機構は、同じレベル（平面）に展開し且つ両ベースプレートに外力を加えることにより押し込まれなければならない。また、キーボードを折畳む前にこれら両ベースプレートを分離しなければならない。
【０００４】
【考案が解決しようとする課題】
斯かる従来のキーボードにあっては、第１および第２ベースプレートを、単に直接開閉するため代わりに、折畳み可能なキーボードの展開又は折畳みに外力を加えなければならないという課題を有する。
【０００５】
【考案の目的】
本考案は、従来技術の上述した課題に鑑みなされたものであり、簡単な折畳み操作を可能にすると共に、展開状態では一体のキーボードとなる折畳み可能なキーボードを提供することを目的とする。
【０００６】
【課題を解決するための手段】
本考案の折畳み可能なキーボードは、第１ベースプレートと、第２ベースプレートと、第１および第２ベースプレート間のリンクシャフトを備え、このリンクシャフトを中心に第１ベースプレートを第２ベースプレートに対して回転するキーボードであって、第１ベースプレートに固定された第１キーパッドと、第２ベースプレートにスライド可能に設けられた第２キーパッドと、それぞれ第１ベースプレート、リンクシャフトおよび第２キーパッドにピボット可能に連結された第１、第２および第３ピボットジョイントを有する少なくとも１つのリンク機構を備え、このリンク機構は、第１および第２ベースプレートを展開するとき、第２キーパッドを第１キーパッドに向けて引き寄せ、第１および第２ベースプレートを閉じるとき、第２キーパッドを第１キーパッドから離れるように押すことを特徴とする。
【０００７】
また、本考案の折畳み可能なキーボードの好適実施形態によると、リンク機構は、３個の連結ロッドを備え、それぞれの一端を共通端とし、他端をそれぞれ第１、第２および第３ピボットジョイントとする。リンクシャフトは、第１ベースプレートの一側に連結された第１ロッドおよび第２ベースプレートの一側に連結された第３ロッドを備える。リンク機構は、第１ロッド、第２ロッドおよび第３ロッドを備える。第２ロッドの長さは、第１ロッドおよび第３ロッドの長さよりも短い。第１、第２および第３ロッドは、１つの共通ジョイント端を有し、他端は第１、第２および第３ピボットジョイントとなる。折畳み可能なキーボードが折畳まれたとき、第１連結ロッドは第２および第３連結ロッドを押し、第３ロッドは更に第２キーパッドを第１キーパッドから遠ざけるように押す。折畳み可能なキーボードを展開すると、連結ロッドは第２および第３ロッドを引き寄せ、第３ロッドは更に第２キーパッドを第１キーパッドに引き寄せる。第１および第２ベースプレートの底には、それぞれ基部が設けられ、展開時に確実に配置可能にする。第２キーパッドおよび第２ベースプレート間には、スライドトラック又はガイドスロットが形成されている。
【０００８】
【考案の実施の形態】
以下、本考案の折畳み可能なキーボードの好適実施形態の構成および動作を、添付図面を参照して詳細に説明する。
【０００９】
先ず、図１は本考案による折畳み可能なキーボードの好適実施形態の上面図であり、キーボードの展開状態を示す。本考案の実施形態によると、折畳み可能なキーボードは、左ベースプレート（又は第１ベースプレート）１０、右ベースプレート（又は第２ベースプレート）２０およびリンクシャフト３０により構成される。
【００１０】
リンクシャフト３０は、第１軸ロッド３１、第２軸ロッド３２および第３軸ロッド３３よりなる。左ベースプレート１０の一側は、第１軸ロッド３１とピボット可能に連結されている。また、右ベースプレート２０の一側は、第３軸ロッド３３とピボット可能に連結されている。この構成により、左右ベースプレート１０、２０は、それぞれ第１軸ロッド３１および第３軸ロッド３３上で回転し、相互に開閉可能である。
【００１１】
第２軸ロッド３２は、第１軸ロッド３１および第３軸ロッド３３間に配置され、リンクシャフト３０の構造を補強する。更に、左右キーパッド位置１１、２１が、それぞれ左右ベースプレート１０、２０上に設けられている。左右ベースプレート１０、２０が相互に折畳まれると、両ベースプレート１０、２０の対応する端縁部は、相互に当接し、それらの間に中空の空間を形成する。この中央の空間に、２組のキーパッドを収めることが可能である。
【００１２】
更に図１を参照して、この折畳み可能なキーボードは、更に第１キーパッド１、第２スライドキーパッド２および少なくとも１個のリンク機構４０を備えている。第１キーパッド１は、左ベースプレート１０の窪んだ左キーパッド位置１１に固定された複数のキーを有する。第２スライドキーパッド２は、右ベースプレート２０の少し大きい右キーパッド位置２１に設けられた複数のキーを有し、このキーパッドは、制限された距離だけスライド可能である。また、リンク機構４０は、第１ピボットジョイント４１１、第２ピボットジョイント４２１および第３ピボットジョイント４３１を有し、それぞれ左ベースプレート１０又は第１キーパッド１の端縁の適当な位置、リンクシャフト３０および第２キーパッド２の端縁の適当な位置にピボット可能に連結されている。
【００１３】
リンク機構４０は、左右ベースプレート１０、２０を水平状態に展開するとき、第１キーパッド１の近傍に第２キーパッド２を引き寄せる。一方、左右ベースプレート１０、２０を折畳むと、リンク機構４０は、第２キーパッド２を押して第１キーパッド１から遠ざけるように作用する。
【００１４】
更に、第２キーパッド２の移動を右キーパッド位置２１内に留めるために、バンプ３を端縁の適当な位置に加えることが可能である。また、ガイドスロット２２をバンプ３の対応する端縁位置に設け、第２キーパッド２が右キーパッド位置２１内で自由にスライド可能にする。以上、この実施形態について説明したが、種々の変形変更が可能であること、当業者には容易に理解できよう。
【００１５】
次に、図２は、図１の折畳み可能なキーボードの線Ａ−Ａ´に沿う展開状態における断面図である。本考案の好適実施形態において、リンク機構４０は、第１連結ロッド４１、第２連結ロッド４２および第３連結ロッド４３により構成される。第２連結ロッド４２の長さは、第１連結ロッド４１および第３連結ロッド４３の長さよりも短い。これら各連結ロッド４１、４２および４３は、相互に連結される共通の一方のジョイント端を有する。これら連結ロッド４１、４２および４３の他端は、それぞれ上述した第１ピボットジョイント４１１、第２ピボットジョイント４２１および第３ピボットジョイント４３１である。
【００１６】
これら３個のピボットジョイント４１１、４２１および４３１は、更にそれぞれ左ベースプレート１０、リンクシャフト３０の第２軸ロッド３２および第２キーパッド２の端縁に連結されている。これらの連結により折畳み可能なキーボードが折畳めることを図２乃至図５を参照して以下に説明する。
【００１７】
第１連結ロッド４１は、左ベースプレート１０が折畳まれ始めると、第２および第３連結ロッド４２、４３を押す。次に、第３連結ロッド４３は、第２キーパッド２を押して、第１キーパッド１から遠ざける。逆に、図５から図２に連続して示す如く、折畳み可能なキーボードを展開すると、第１連結ロッド４１は、第２および第３連結ロッド４２、４３を左ベースプレート１０の移動に沿って引き寄せる。これにより、第３連結ロッド４３は、第２キーパッド２を第１キーパッド１の近くへ案内されながら引き寄せる。
【００１８】
図２について説明すると、本考案の特徴の１つは、第１キーパッド１および第２キーパッド２が展開されるとき、右キーパッド位置２１の部分が、露出することである。これにより、第１キーパッド１および第２キーパッド２は、一体として動作するキーボードとなる。更に、それぞれ左ベースプレート１０および右ベースプレート２０の下部の左基部（ファンデーション）１２および右基部２３は、キーボードに対してバランスサポートとして作用する。これにより、左基部１２、右基部２３およびリンク軸３０が水平に展開されたとき、本考案の折畳み可能なキーボードが平面上に確実に配置できるようになる。
【００１９】
以上、本考案による折畳み可能なキーボードの好適実施形態の構成および動作を詳述した。しかし、斯かる実施形態は、本考案の単なる例示に過ぎず、その要旨を逸脱することなく、特定用途に応じて種々の変形変更が可能であること、当業者には容易に理解できよう。
【００２０】
【考案の効果】
以上の説明から理解される如く、本考案の折畳み可能なキーボードによると、次のような実用上の顕著な効果が得られる。即ち、比較的狭いテーブル上等で使用されるＰＣにあっては、不使用時又は移動時のキーボードがかさばり邪魔になるが、折畳むことによりコンパクトにすることが可能である。両ベースプレートの展開状態では、何ら付加的な外力を加えることなく、第１および第２キーパッドが連結した状態となるので、一体のキーボードとして違和感なく使用可能である。また、折畳み状態では、キーパッド部を保護するので、破損その他のトラブルを回避可能である。また、一方（例えば、左）のベースプレートを他方（例えば、右ベースプレート）に対して折畳むのみでよいので、開閉（又は折畳みおよび展開）操作が容易である。更に、比較的簡単な構成であるので、安価に折畳み可能なキーボードが得られる。
【図面の簡単な説明】
【図１】本考案による折畳み可能なキーボードの好適実施形態の展開状態の上面図である。
【図２】図１に示す折畳み可能なキーボードの線Ａ−Ａ´に沿う断面図である。
【図３】図１に示す折畳み可能なキーボードの左ベースプレートを約３０°回転した状態を示す断面図である。
【図４】図１に示す折畳み可能なキーボードの左ベースプレートを約１２０°回転した状態を示す断面図である。
【図５】図１に示す折畳み可能なキーボードの左ベースプレートを右ベースプレート上に完全に閉じた状態の断面図である。
【符号の説明】
１　第１キーパッド
２　第２キーパッド（スライド）
３　バンプ
１０　左（第１）ベースプレート
１２、２３　基部
２０　右（第２）ベースプレート
３０　リンクシャフト
３１　第１軸ロッド
３２　第２軸ロッド
３３　第３軸ロッド
４０　リンク機構
４１　第１連結ロッド
４２　第２連結ロッド
４３　第３連結ロッド
【図１】
0003098068.tif 000003
【図２】
0003098068.tif 000004
【図３】
0003098068.tif 000005
【図４】
0003098068.tif 000006
【図５】
0003098068.tif 000007